(57)【要約】編目掛止部の形成箇所をニードルベッド間の間隔中心からトランスファージャックの基端側に偏寄させ、編目ループにトランスファージャックの基端側から編針が進入するときの編針のフック部分の高さに対するトランスファージャックの先端側の有効幅を大きくした。
2003097915.tif 000002
【特許請求の範囲】
【請求項１】
本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックにおいて、トランスファージャックの前記編目ループ掛止部の形成箇所を前記ラッキング動作時のトランスファージャックの進出位置を基準として前後ニードルベッド間の間隙中心からトランスファージャックの基端側に偏寄させ、編目ループにトランスファージャックの基端側から編針が進入するときの編針のフック部分の高さに対するトランスファージャックの先端側の有効幅を大きく形成したことを特徴とするトランスファージャック。
【請求項２】
編目ループ掛止部に係止された編目ループが前記逃がし部に沿って基端側にすべり込まないように編目ループの移動を阻止する編目ループ移動阻止部を編目ループ掛止部と反対の本体下面側に形成した請求の範囲１に記載のトランスファージャック。
【請求項３】
編目ループ受け止め部はトランスファージャックから真下のニードルベッドの編針へ目移しする際に、編目ループが編針のフックで捕捉されるように前後ニードルベッド間の間隙側に突出させたガイド部を有する請求の範囲第１項または請求の範囲第２項に記載のトランスファージャック。
【請求項４】
前記請求の範囲第１項乃至第３項の何れか１項に記載のトランスファージャックを備えてなる横編機。
【請求項５】
トランスファージャック本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックを用いて編目ループを目移しする方法であって、トランスファージャックの前記編目ループ掛止部を前記ラッキング動作時のトランスファージャックの進出位置を基準として前後ニードルベッド間の間隙中心位置からトランスファージャックの基端側に偏寄させた箇所に形成することにより、編針のフック部分の高さに対するトランスファージャック先端側の有効幅を大きく形成し、トランスファージャックがラッキング動作位置に進出した状態で編目ループ掛止部に前後の何れか一方のニードルベッドの編針から編目ループを係止させ、該編目ループにトランスファージャックの基端側から編針が進入する時は、当該大きく形成された有効幅により編針のフック部分の編目ループ内への進入を許容し、トランスファージャックの先端側から編針が進入する場合は、進入する編針による編目ループの移動を編目ループ受け止め部で受け止めさせ、当該編目ループに編針を潜らせてそのフック部分に編目ループを掛合させることにより編目ループの目移しを行うようにしたことを特徴とするトランスファージャックによる目移し方法。
【発明の詳細な説明】
技術分野
本発明は、編針を進退摺動可能に収納したニードルベッドを少なくとも前後一対に設けその上方に目移し用のトランスファージャックが装着された上部補助ベッドを備えた横編機において、上部補助ベッドから下部ニードルベッドへ目移しを行う際に、編目ループ内へ編針を進出させることのできるトランスファージャック及びこのトランスファージャックを備えた横編機ならびにその目移し方法に関する。
従来の技術
上面に形成された針溝内に編針を進退動自在に保持したニードルベッドを前後一対に対向配置し、このニードルベッドの少なくとも何れか一方のニードルベッド上に、トランスファージャック等からなる目移し機構を備えたトランスファージャックベッドを設け、ニードルベッドの編針の編目ループをトランスファージャックベッドのトランスファージャックの編目ループ掛止部に目移しし、前後のニードルベッドをその長手方向の位相が異なる用にラッキングした後、トランスファージャックに係止される編目ループをニードルベッド上の編針に移すことにより編目ループを目移しするようにしている。
上記従来の横編機では、図１０に示すように編針１０４ａ、１０４ｂから編目ループ１０６を受け取るトランスファージャック１０２の上面に形成される編目ループ掛止部１０８が、トランスファージャック１０２がラッキング時の位置に進出した状態の時に、前後ニードルベッド１０１ａ、１０１ｂ間の中心線Ｘ−Ｘ上に形成してある。
一方、編目ループ掛止部１０８の高さ位置は、編目ループ掛止部１０８に係止される編目ループ１０６の張力を高くならないようにするために低くすることが望まれる。
また、こうしたものでは編目ループ掛止部１０８とトランスファージャック１０２の底部１０２ａにシンカープレート１０７と干渉しないように逃がし部１０２ｂが形成されている。
このように、トランスファージャック１０２の底部１０２ａの形成位置が規制され、距離ａが短くなる結果、トランスファージャック１０２の基端側から先端側に向けて編目ループ１０６に進入しようとする編針１０４ａのフック１０９部分の幅ｂに対するトランスファージャック１０２の先端側の有効幅ｃが小さくなることから、トランスファージャック１０２からその下方の編針１０４ａに編目ループを移す場合、進出してくる編針１０４ａのフック１０９部分で編目ループ１０６が先端側に押され、フック１０９に係止されなかったり、目外れを起こしたりしやすいという問題があった。
こうした問題に対処するために本願出願人は、特開平１１−３２３７０３号や国際公開ＷＯ０１／８６０４８に記載の目移し方法を先に提案した。特開平１１−３２３７０３号では、トランスファージャックに係止された編目ループをニードルベッドの編針に目移しする際に、編目ループ内へ編針のフック背面部が進出するときには編目ループが編針のフックの背面側に移動する向きにトランスファージャックを移動させ、続いて編針のフック表面部が編目ループ内へ進出するときには編目ループがフックの表面側に移動する向きにトランスファージャックを移動させるといったトランスファージャックの前後方向のモーションによってトランスファージャック先端側の有効幅Ｃを仮想的に大きくしトランスファージャックから編針への目移し時の条件を改善させている。国際公開ＷＯ０１／８６０４８では、編目ループ内へ編針が進入する際にトランスファージャックを上下方向に移動させることでトランスファージャック先端側の有効幅Ｃを仮想的に大きくしたものである。
発明の開示
本発明は、トランスファージャックから編針への目移しの際の従来のトランスファージャックが抱えていた問題を減少して目移しの条件を改善できるトランスファージャックを提供することを目的とする。
またこのようなトランスファージャックを備えた横編機を提供することを目的とする。また本発明によるトランスファージャックによる目移し方法を提供することを目的とする。
上記目的を達成するために本発明にかかるトランスファージャックは、本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックにおいて、トランスファージャックの前記編目ループ掛止部の形成箇所を前記ラッキング動作時のトランスファージャックの進出位置を基準として前後ニードルベッド間の間隙中心からトランスファージャックの基端側に偏寄させ、編目ループにトランスファージャックの基端側から編針が進入するときの編針のフック部分の高さに対するトランスファージャックの先端側の有効幅を大きく形成したことを特徴とするものである。
好ましくは、編目ループ掛止部に係止された編目ループが前記逃がし部に沿って本体側にすべり込まないように編目ループの移動を阻止する編目ループ移動阻止部を編目ループ掛止部と反対の本体下面側に形成したり、編目ループ受け止め部はトランスファージャックから真下のニードルベッドの編針へ目移しする際に、編目ループが編針のフックで捕捉されるように歯口間隙の中心側に突出させたガイド部を設けることが望ましい。
また、上記構成のトランスファージャックを設けた横編機も本発明の特徴とするものである。
さらに本発明のトランスファージャックによる目移し方法は、トランスファージャック本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックを用いて編目ループを目移しする方法であって、トランスファージャックの前記編目ループ掛止部を前記ラッキング動作時のトランスファージャックの進出位置を基準として前後ニードルベッド間の間隙中心位置からトランスファージャックの基端側に偏寄させた箇所に形成することにより、編針のフック部分の高さに対するトランスファージャック先端側の有効幅を大きく形成し、トランスファージャックがラッキング動作位置に進出した状態で編目ループ掛止部に前後の何れか一方のニードルベッドの編針から編目ループを係止させ、該編目ループにトランスファージャックの基端側から編針が進入する時は、当該大きく形成された有効幅により編針のフック部分の編目ループ内への進入を許容し、トランスファージャックの先端側から編針が進入する場合は、進入する編針による編目ループの移動を編目ループ受け止め部で受け止めさせ、当該編目ループに編針を潜らせてそのフック部分に編目ループを掛合させることにより編目ループの目移しを行うようにしたことを特徴とするものである。
発明を実施するための最良の形態
本発明にかかるトランスファージャック及びこれを備えた横編機ならびにトランスファージャックによる目移し方法を図面に基づいて詳細に説明する。
＜実施例１＞
図１は本発明にかかる横編機のニードルベッド間部分の概略構成を示す側面図であって、前後一対に対向配置される下部ニードルベッド１ａ，１ｂと、前方の下部ニードルベッド１ａ（以下、前ベッド１ａとする）の上方のトランスファージャックベッド（図示せず）に収納された、目移し部材としてのトランスファージャック２を備える。
下部ニードルベッド１ａ，１ｂには等間隔に形成された複数の針溝３が形成されており、各針溝３内には編針４ａ，４ｂが前後の両ニードルベッド１ａ，１ｂ間の歯口５に向けて進退動可能に保持させてある。
本実施例では、トランスファージャック２は編目ループ６を下部ニードルベッド１ａ，１ｂの編針４ａ，４ｂに受渡しする図１に示す進出位置に進出した状態（ニードルベッド１ａ、１ｂ間の間隙の中心線Ｘ−Ｘ）を基準位置Ｓとする。
また、トランスファージャック２が，この基準位置Ｓにあるときにはラッキング動作を行なうことが可能である。
後方の下部ニードルベッド１ｂ（以下、後ベッド１ｂとする）は駆動手段（図示せず）によりその長手方向に移動（以下、ラッキングと表現する）可能に構成される。
トランスファージャック２はこれを保持するトランスファージャックベッドが左右に移動制御され、ニードルベッド１ａ，１ｂに対し左右移動可能に構成されることにより、前後両下部ニードルベッド１ａ，１ｂ間、およびトランスファージャックベッド７と前後両下部ニードルベッド１ａ，１ｂ間での編目ループ６の目移しが可能になっている。
トランスファージャック２のフラットな底部２ａには各ニードルベッド１ａ、１ｂに配設されたシンカープレート７との干渉を回避する逃がし部２ｂが設けられるとともに、トランスファージャック２の上面側部分には、トランスファージャック２を進出位置まで進出させたときに、前記基準位置Ｓ（中心線Ｘ−Ｘ）からトランスファージャック２の基端側に距離Ｄ分偏寄させて設けられる編目ループ掛止部８を形成してある。
上記のように編目ループ掛止部８をトランスファージャック２の基端側に距離Ｄ分偏寄させて設けると、トランスファージャック２の基準位置から編目ループ６に進入する編針４ａのフック９部分の幅Ｅに対するトランスファージャック２の先端側の有効幅Ｆを、従来のように編目ループ掛止部を中心線Ｘ−Ｘ（基準位置Ｓ状）上に設ける場合の有効幅ｃ（図１に示す）に比べて大きくすることができる。
一方、トランスファージャック２の先端側から編目ループ６に進入する編針４ｂのフック１０部分が対面する編目ループ掛止部８の基端側とトランスファージャック２のフラットな底部２ａとの幅Ｇが減少するが、編目ループ掛止部８の基端側の切り立った状態の側面（編目ループ受け止め部）１３の高さＨが編針４ｂのフック１０部分の幅Ｅよりも大きくなることから、編針４ｂのフック１０部分が編目ループ掛止部８の編目ループ６を受け取るときの支障はない。
次に上記のように形成されたトランスファージャック２の作用および目移し方法について説明する。
なお、本発明の特徴部分は、トランスファージャック２から下部ニードルベッド１ａ，１ｂへの目移しの際のトランスファージャック２の作用にあるため、本例の形態では編目ループの側方移しの過程において、前ベッド１ａまたは後ベッド１ｂからトランスファージャックベッド２へ目移しし、トランスファージャックベッド２をラッキングした後、再び前ベッド１ａまたは後ベッド１ｂへ目移しする場合を説明する。
先ず、トランスファージャック２の編目ループ掛止部８に掛止された編目ループ６を前ベッド１ａの編針４ａ（トランスファージャックの基端側から進入する編針）への目移しを例に説明する。
図１及び図２の（ａ）に示すように、目移し開始時は、編目ループ６が係止された状態で、トランスファージャック２は基準位置Ｓへと進出しており、この編目ループ６を受け取る前ベッド１ａの編針４ａは下降位置に待機した状態となっている。
この状態から、図２の（ｂ）及び（ｃ）に示すようにトランスファージャック２の編目ループ掛止部８に係止されている編目ループ６に向かって前ベッド１ａの編針４ａの進出が開始される。
この時、編目ループ掛止部８がニードルベッド１ａ，１ｂ間の間隙中心Ｘ−Ｘからトランスファージャック２の基端側に距離Ｄ分偏寄させて設けられていることにより、編針４ａのフック９部分の高さＥに対するトランスファージャック５の先端側の有効幅Ｆが大きく形成されることになるので従来のような問題は改善され、図示のように編目ループ６内に編針４ａのフック９を進入させることができる（図２の（ｄ）及び図３参照）。
即ち、編針４ａの進出により、編目ループ掛止ぶ８に掛止されている編目ループ６の下端に編針４ａのフック９部分の先端部が接触すると、編目ループ６の上部が編目ループ掛止部８に保持されながら編目ループに下部がトランスファージャック２の底部２ａのフラット面に沿って移動する。
このとき、編目ループ６の上部が編目ループ掛止部８に保持される位置と，編目ループ６の下部が底部２ａの逃がし部２ｂへ移る直前の位置とを結ぶ線の長さが編針４ａのフック９部分の高さＥに対するトランスファージャック２の先端側の有効幅Ｆとなる。
また、図１０に示した従来のように編目ループ掛止部を中心線Ｘ−Ｘ（基準位置Ｓ）上に設ける場合のトランスファージャック２の先端側の有効幅は、図１に示す有効幅ｃとなる。
しかる後、トランスファージャック２が図２の（ｅ）に示すように後退が開始されるとともに編針４ａの下降が開始されると、トランスファージャック２から前ベッド１ａの編針４ａへの目移しが完了する。
上記のように、編目ループ掛止部８は、進出位置を基準として前後ニードルベッド１ａ，１ｂ間の中心からトランスファージャック２の基端側に偏寄させるだけの簡単な構造でありながら編目ループ６内に編針４ａのフック９を従来のものよりも進入させやすくでき、しかも、トランスファージャック２を、簡単に加工でき、安価に製造することができる。
次にトランスファージャック２から対向する後ベッド１ｂの編針４ｂ（トランスファージャックの先端側から進入する編針）への目移しを説明する。
トランスファージャック２から後ベッド１ｂの編針への目移し開始時は、図１及び図４の（ａ）に示すように、編目ループ６が係止された状態で、トランスファージャック２が基準位置Ｓへと進出しており、この編目ループ６を受け取る後ベッド１ｂの編針４ａは下降位置に待機した状態となっている。
この状態から、図４の（ｂ）及び（ｃ）に示すようにトランスファージャック２の編目ループ掛止部８に係止されている編目ループ６に向かって前ベッド１ｂの編針４ｂの進出が開始される。
この時、編目ループ掛止部８が、ニードルベッド１ａ、１ｂ間の間隙中心位置Ｓからトランスファージャック２の基端側に距離Ｄ分偏寄させて設けられていることにより、編目ループ掛止部８からの高さＧが編針４ｂのフック１０部分の高さＥよりも小さくなってしまう。
ところが、編目ループ掛止部８の後方側（基端側）に連設される編目ループ受け止め部１３の高さＨが編針４ｂのフック１０部分の高さＥよりも大きくなっているため、編目ループ６が編針６ｂによりトランスファージャック２の基端側に押されても、編目ループ受け止め部１３により編目ループ６の移動が阻止されて、図示のように編針のフック１０部分を編目ループ６内に進入させることができる。（図４の（ｄ）及び図５参照）
しかる後、トランスファージャック２が図４の（ｅ）に示すように後退が開始されるとともに編針４ｂの下降が開始されると、トランスファージャック２から前ベッド１ｂの編針４ｂへの目移しが完了する。
また、本実施形態の横編機によれば、トランスファージャック２を進出させたときの編目ループ掛止部８の位置が進出位置を基準として前後ニードルベッド間の中心線（Ｘ−Ｘ）からトランスファージャック２の基端側に偏寄させるようにトランスファージャック２を配設する簡単な構造でありながら、編目ループ６内に編針４ａのフック９を従来のものよりも進入させやすくでき、しかも、横編機全体の構造がシンプルで、簡単に加工でき、安価に製造することができる。
＜実施例２＞
実施例２のトランスファージャックについて説明する。図６〜図９は実施例２のトランスファージャックを示したもので、図６，７，８は上記実施例１における図１，３，５にそれぞれ対応した図を示す。
また図９は後述するガイド部の働きを示した図である。
実施例２によるトランスファージャック２では、図６に示すように編目移動阻止部１１とガイド部１２を設けた点が先の実施例１と異なる。
編目移動阻止部１１は、編目ループ掛止部８と反対の本体下面側に形成された段差部であり、編目ループ掛止部８に係止された編目ループ６が逃がし部２ｂに沿って本体側にすべり込まないようにするために編目ループ６の移動を阻止するものである。
編目ループ６の移動は、ラッキング操作により編針４ａ，４ｂに対しトランスファージャック２が横方向に移動する際にトランスファージャック２の編目ループ掛止部８に係止された編目ループ６にテンションがかかることで起こることがあり、これは特に目の詰んだ編目ループ６を編成する場合に発生しやすい。
図示のものでは実施例１のトランスファージャック２の本体下面側の一部を切除して残った部分を編目移動阻止部１１を形成するようにしてあるが、実施例１の本体下面側部分に肉盛りをして形成するようにしてもよいなど要は編目ループ６の移動を阻止できるような形状であれば構わない。
編目移動阻止部１１はトランスファージャック２から真下に位置するニードルベッド１ａの編針４ａへ編目ループ６を目移しする際にあれば好ましく、特に編目ループ掛止部８に係止された編目ループ６内へ編針４ａのフック９部分が進入する際に編目ループ６を所定の位置へ保持して編針４ａのフック９を編目ループ６の中へ案内させる。
すなわち、編針４ａのフック９が進出する際に編目ループ６の下縁部がフック９の進退軌跡内のフック高さ方向の中心ないしフック背面側に保持することでフック９によって編目ループ６の下縁部をフック背面側へと移動させて編目ループ６内にフック９を進入させることができる。
次にガイド部１２について説明すると、このガイド部１２は編目ループ受け止め部１３の一部を前後ニードルベッド１ａ，１ｂ間の間隙側に突出して形成したものである。
トランスファージャック２から真下にある前ニードルベッド１ａの編針４ａへ編目ループ６を目移しするには、まず図７に示すように編針４ａを進出させて編目ループ６内にフック９が進入した状態とし、続いて図９に示すようにトランスファージャック２を基準位置Ｓよりも更に進出させて編目ループ掛止部８に係止されている編目ループ６を編針４ａのフック９内へと押し入れた状態とし、その状態でスライダー１４を上昇させてフック９を閉鎖させる。
しかる後、トランスファージャック２を後退させて編目ループ６を編針４ａへ移し替えるのである。
またこれと同様にして図８に示すようにトランスファージャックから後ニードルベッド１ｂの編針４１）にも目移しを行うことができる。
このような目移し方法については国際公開ＷＯ０２−１６６８４、発明の名称「目移し機構を備えた横編機および目移し方法」に詳述されているので、これを参照するものとしてここではその説明は省略する。
しかし、編目ループが複数本の束の編糸から形成されているような場合や緩い編目ループの場合には編目ループ６を構成する編糸が編目ループ掛止部８から浮上した状態になっている場合がある。また基準位置Ｓを越えてトランスファージャック２を更に進出させて編目ループ６をフック１０内に押し出す際に編目ループ６が編目ループ受け止め部１３に沿って浮上することもあり、常に編目ループ６が編目ループ掛止部８に当接した状態にあるとは限らない。
こうした場合にもガイド部１２を設けることで上記したような編目ループ６の浮上をガイド部１２によって抑え、フック１０内に編目ループ６を捕捉した状態でフック１０を閉鎖することができる。
本実施例ではガイド部１２は編目ループ掛止部８に続く編目ループ受け止め部１３を側面視において上方側がニードルベッド１ａ、１ｂ間の間隙の中心線Ｘ−Ｘ側に向けて突出したオーバーハングさせた状態に形成しているが、編目ループ６の浮上を阻止できるものであればよい。
またこのガイド部１２はスライダー１４と針本体からなる複合針に限らずベラ針の場合にも同様の効果を奏する。
なお本実施例のトランスファージャック２では、編目ループ掛止部８がニードルベッド１ａ、１ｂ間の間隙の中心線Ｘ−Ｘからトランスファージャックの基端側に偏寄させて設けられていることにより、編針のフック部分の高さに対するトランスファージャックの先端側の有効幅が大きく形成されることになるので先に示した特開平１１−３２３７０３号や国際公開ＷＯ０１／８６０４１３１に記載の目移し方法のように編目ループ内に編針のフックを進出させる際にトランスファージャックを前後動させたり、上下動させずにラッキングの状態を基準位置とし、この状態にあるトランスファージャックの編目ループ掛止部に係止された編目ループに対し編針のフックを進入させる場合について説明した。しかしながら必要に応じてここれら特許に記載の方法を組み合わせて目移しを行うことを阻害するものではないのはいうまでもない。
またその際、編針のフックが編目ループ内に進出する際のトランスファージャックの位置が基準位置よりも若干進出した位置にある場合には、その状態において編目ループの下縁部がフックの進退軌跡内のフック高さ方向の中心ないしフック背面側に保持できるような位置に編目移動阻止部を形成するようにすればよい。
以上に説明したように、本発明によれば、トランスファージャックに、編目ループ掛止部がニードルベッド間の間隙中心からトランスファージャックの基端側に偏寄させて設けられているので、トランスファージャックの基端側から先端側に向けて編目ループに進入しようとする編針のフック部分の幅Ｅに対するトランスファージャックの先端側の有効幅Ｆが小さくなることもなく、十分な幅を確保できる。
また、トランスファージャックの先端側から基端側に向けて編目ループに進入しようとする編針による編目ループの移動に対しては編目ループ掛止部の後方側に連設される編目ループ受け止め部で受け止める。
これにより、トランスファージャックからその下方の編針に編目ループを移す場合、進出してくる編針のフック部分で編目ループが先端側に押され、フックに係止されなかったり、目外れを起こしたりすることもなく、容易に目移しできる利点がある。
【図面の簡単な説明】
図１は実施例１にかかるトランスファージャック部分の拡大断面図である。
図２は実施例１にかかるトランスファージャックから前ニードルベッドの編針に目移しする過程を表す概略側面図である。
図３は実施例１にかかるトランスファージャックの目移しの一過程の拡大断面図である。
図４は実施例１にかかるトランスファージャックから後ニードルベッドの編針に目移しする過程を表す概略側面図である。
図５は実施例１にかかるトランスファージャックの目移しの一過程の拡大断面図である。
図６は実施例２にかかるトランスファージャック部分の拡大断面図である。
図７は実施例２にかかるトランスファージャックから前ニードルベッドの編針に目移しする過程目移しの一過程の拡大断面図である。
図８は実施例２にかかるトランスファージャックから後ニードルベッドの編針に目移しする一過程を表す概略側面図である。
図９は実施例２にかかるトランスファージャックから前ニードルベッドの編針に目移しする過程目移しの一過程の拡大断面図である。
図１０は従来例にかかる編目ループを係止したトランスファージャックの歯口中心線箇所の断面図である。
【図１】
2003097915.tif 000003
2003097915.tif 000004
【図３】
2003097915.tif 000005
2003097915.tif 000006
【図５】
2003097915.tif 000007
【図６】
2003097915.tif 000008
【図７】
2003097915.tif 000009
【図８】
2003097915.tif 000010
【図９】
2003097915.tif 000011
【図１０】
2003097915.tif 000012
【手続補正書】
【提出日】平成16年2月23日(2004.2.23)
【手続補正１】
【補正対象書類名】特許請求の範囲
【補正対象項目名】請求項１
【補正方法】変更
【補正の内容】
【請求項１】
本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックにおいて、トランスファージャックの前記編目ループ掛止部の形成箇所を、トランスファージャックの下面に形成された逃がし部間のトランスファージャックの底部がシンカープレートとの干渉を回避する位置である前後のニードルベッド間の隙間上に進出した前記ラッキング動作時のトランスファージャックの進出位置を基準として前後ニードルベッド間の間隙中心からトランスファージャックの基端側に偏寄させ、編目ループにトランスファージャックの基端側から編針が進入するときのトランスファージャックの編目ループ掛止部と逃がし部の先端側部分との間に形成される編針のフック部分の高さに対する前記大きく形成された有効幅を大きく形成したことを特徴とするトランスファージャック。
【手続補正２】
【補正対象書類名】特許請求の範囲
【補正対象項目名】請求項５
【補正方法】変更
【補正の内容】
【請求項５】
トランスファージャック本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックを用いて編目ループを目移しする方法であって、トランスファージャックの前記編目ループ掛止部をトランスファージャックの下面に形成された逃がし部間のトランスファージャックの底部がシンカープレートとの干渉を回避する位置である前後のニードルベッド間の隙間上に進出した前記ラッキング動作時のトランスファージャックの進出位置を基準として前後ニードルベッド間の間隙中心からトランスファージャックの基端側に偏寄させた箇所に形成することにより、トランスファージャックの編目ループ掛止部と逃がし部の先端側部分との間に形成される編針のフック部分の高さに対する有効幅を大きく形成し、トランスファージャックがラッキング動作位置に進出した状態で編目ループ掛止部に前後の何れか一方のニードルベッドの編針から編目ループを係止させ、該編目ループにトランスファージャックの基端側から編針が進入する時は、当該大きく形成された有効幅により編針のフック部分の編目ループ内への進入を許容し、トランスファージャックの先端側から編針が進入する場合は、進入する編針による編目ループの移動を編目ループ受け止め部で受け止めさせ、当該編目ループに編針を潜らせてそのフック部分に編目ループを掛合させることにより編目ループの目移しを行うようにしたことを特徴とするトランスファージャックによる目移し方法。
【手続補正３】
【補正対象書類名】明細書
【補正対象項目名】０００３
【補正方法】変更
【補正の内容】
【０００３】
上記目的を達成するために本発明にかかるトランスファージャックは、
本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャックにおいて、トランスファージャックの前記編目ループ掛止部の形成箇所を、トランスファージャックの下面に形成された逃がし部間のトランスファージャックの底部がシンカープレートとの干渉を回避する位置である前後のニードルベッド間の隙間上に進出した前記ラッキング動作時のトランスファージャックの進出位置を基準として前後ニードルベッド間の間隙中心からトランスファージャックの基端側に偏寄させ、編目ループにトランスファージャックの基端側から編針が進入するときのトランスファージャックの編目ループ掛止部と逃がし部の先端側部分との間に形成される編針のフック部分の高さに対する前記大きく形成された有効幅を大きく形成したことを特徴とするものである。
好ましくは、編目ループ掛止部に係止された編目ループが前記逃がし部に沿って本体側にすべり込まないように編目ループの移動を阻止する編目ループ移動阻止部を編目ループ掛止部と反対の本体下面側に形成したり、編目ループ受け止め部はトランスファージャックから真下のニードルベッドの編針へ目移しする際に、編目ループが編針のフックで捕捉されるように歯口間隙の中心側に突出させたガイド部を設けることが望ましい。
また、上記構成のトランスファージャックを設けた横編機も本発明の特徴とするものである。
さらに本発明のトランスファージャックによる目移し方法は、トランスファージャック本体先頭側の上面側部分に形成した編目ループを係止する編目ループ掛止部と、該編目ループ掛止部の後方側に連設される編目ループ受け止め部と、進出位置にあるトランスファージャックがラッキング動作の際に前後のニードルベッドの先端に配設したシンカープレートとの干渉を避けるために前記編目ループ掛止部近傍の本体下面側に形成した逃がし部とを有するトランスファージャック


【手続補正４】
【補正対象書類名】明細書
【補正対象項目名】０００４
【補正方法】変更
【補正の内容】
【０００４】
を用いて編目ループを目移しする方法であって、トランスファージャックの前記編目ループ掛止部をトランスファージャックの下面に形成された逃がし部間のトランスファージャックの底部がシンカープレートとの干渉を回避する位置である前後のニードルベッド間の隙間上に進出した前記ラッキング動作時のトランスファージャックの進出位置を基準として前後ニードルベッド間の間隙中心からトランスファージャックの基端側に偏寄させた箇所に形成することにより、トランスファージャックの編目ループ掛止部と逃がし部の先端側部分との間に形成される編針のフック部分の高さに対する有効幅を大きく形成し、トランスファージャックがラッキング動作位置に進出した状態で編目ループ掛止部に前後の何れか一方のニードルベッドの編針から編目ループを係止させ、該編目ループにトランスファージャックの基端側から編針が進入する時は、当該大きく形成された有効幅により編針のフック部分の編目ループ内への進入を許容し、トランスファージャックの先端側から編針が進入する場合は、進入する編針による編目ループの移動を編目ループ受け止め部で受け止めさせ、当該編目ループに編針を潜らせてそのフック部分に編目ループを掛合させることにより編目ループの目移しを行うようにしたことを特徴とするものである。
図面の簡単な説明
図１は実施例１にかかるトランスファージャック部分の拡大断面図である。
図２は実施例１にかかるトランスファージャックから前ニードルベッドの編針に目移しする過程を表す概略側面図である。
図３は実施例１にかかるトランスファージャックの目移しの一過程の拡大断面図である。
図４は実施例１にかかるトランスファージャックから後ニードルベッドの編針に目移しする過程を表す概略側面図である。
図５は実施例１にかかるトランスファージャックの目移しの一過程の拡大断面図である。
図６は実施例２にかかるトランスファージャック部分の拡大断面図である。
図７は実施例２にかかるトランスファージャックから前ニードルベッドの編針に目移しする過程目移しの一過程の拡大断面図である。
図８は実施例２にかかるトランスファージャックから後ニードルベッドの編針に目移しする一過程を表す概略側面図である。
図９は実施例２にかかるトランスファージャックから前ニードルベッドの編針に目移しする過程目移しの一過程の拡大断面図である。
図１０は従来例にかかる編目ループを係止したトランスファージャックの歯口中心線箇所の断面図である。




【国際調査報告】
2003097915.tif 000013
2003097915.tif 000014
2003097915.tif 000015